(57)【特許請求の範囲】
【請求項１】
光学像に応じた画像を出力する撮像素子を備える撮像装置であって、
前記撮像素子を駆動制御してフレームレートを第１のフレームレートと当該第１のフレームレートよりも高速な第２のフレームレートとに選択的に切り替える切り替え手段と、
前記画像に応じてＡＦ処理を行う際に前記切り替え手段を制御して前記フレームレートを前記第１のフレームレートから前記第２のフレームレートに切り替え、前記ＡＦ処理によって合焦状態となった後に撮影指示があると前記第２のフレームレートで得られた画像に応じて測光を行って撮影を実行する制御手段と、
を有することを特徴とする撮像装置。
【請求項２】
前記制御手段は、シャッターボタンが半押し状態である場合に前記ＡＦ処理を開始し、前記シャッターボタンが全押しとなると前記撮影指示があったとすることを特徴とする請求項１に記載の撮像装置。
【請求項３】
撮影の際にフリッカーを検知するフリッカー検知手段を備え、
前記制御手段は、前記フリッカー検知手段によって前記フリッカーが検知されると、前記切り替え手段を制御して前記フレームレートを前記第２のフレームレートから前記第１のフレームレートに切り替えた後、前記第１のフレームレートで得られた画像に応じて測光を行って撮影を実行することを特徴とする請求項１又は２に記載の撮像装置。
【請求項４】
前記制御手段は、予め定められた測光モードが設定されていると、前記切り替え手段を制御して前記フレームレートを前記第２のフレームレートから前記第１のフレームレートに切り替えた後、前記第１のフレームレートで得られた画像に応じて測光を行って撮影を実行することを特徴とする請求項１乃至３のいずれか１項に記載の撮像装置。
【請求項５】
前記予め定められた測光モードは、前記画像に設定される測光エリアのサイズが所定のサイズ以下である測光モードであることを特徴とする請求項４に記載の撮像装置。
【請求項６】
前記制御手段は、前記第２のフレームレートで得られた画像に応じて測光を行った結果得られた輝度が所定の輝度閾値以下であると、前記切り替え手段を制御して前記フレームレートを前記第２のフレームレートから前記第１のフレームレートに切り替えた後、前記第１のフレームレートで得られた画像に応じて測光を行って撮影を実行することを特徴とする請求項１乃至５のいずれか１項に記載の撮像装置。
【請求項７】
前記制御手段は、前記合焦状態となった後に前記撮影指示がないと、前記切り替え手段を制御して前記フレームレートを前記第２のフレームレートから前記第１のフレームレートに切り替えた後、前記第１のフレームレートで得られた画像に応じて測光を行って前記撮影指示があると撮影を実行することを特徴とする請求項１乃至６のいずれか１項に記載の撮像装置。
【請求項８】
前記制御手段は、前記ＡＦ処理によって合焦状態となってから所定の時間が経過したか否かを判定し、前記所定の時間が経過していないと前記第２のフレームレートで得られた画像に応じて測光を行った後、前記撮影指示があると撮影を実行することを特徴とする請求項１乃至７のいずれか１項に記載の撮像装置。
【請求項９】
前記制御手段は、前記所定の時間が経過すると、前記切り替え手段を制御して前記フレームレートを前記第２のフレームレートから前記第１のフレームレートに切り替えた後、前記第１のフレームレートで得られた画像に応じて測光を行い、前記撮影指示があると撮影を実行することを特徴とする請求項８に記載の撮像装置。
【請求項１０】
光学像に応じた画像を出力する撮像素子を備える撮像装置の制御方法であって、
前記撮像素子を駆動制御してフレームレートを第１のフレームレートと当該第１のフレームレートよりも高速な第２のフレームレートとに選択的に切り替える切り替えステップと、
前記画像に応じてＡＦ処理を行う際に前記切り替えステップによって前記フレームレートを前記第１のフレームレートから前記第２のフレームレートに切り替え、前記ＡＦ処理によって合焦状態となった後に撮影指示があると前記第２のフレームレートで得られた画像に応じて測光を行って撮影を実行する制御ステップと、
を有することを特徴とする制御方法。
【請求項１１】
光学像に応じた画像を出力する撮像素子を備える撮像装置で用いられる制御プログラムであって、
前記撮像装置が備えるコンピュータに、
前記撮像素子を駆動制御してフレームレートを第１のフレームレートと当該第１のフレームレートよりも高速な第２のフレームレートとに選択的に切り替える切り替えステップと、
前記画像に応じてＡＦ処理を行う際に前記切り替えステップによって前記フレームレートを前記第１のフレームレートから前記第２のフレームレートに切り替え、前記ＡＦ処理によって合焦状態となった後に撮影指示があると前記第２のフレームレートで得られた画像に応じて測光を行って撮影を実行する制御ステップと、
を実行させることを特徴とする制御プログラム。
【発明の詳細な説明】
【技術分野】
【０００１】
本発明は、撮像装置、その制御方法、および制御プログラムに関し、特に、高速フレームレートで撮像面ＡＦ処理を行う撮像装置に関する。
【背景技術】
【０００２】
一般に、オートフォーカス（ＡＦ）として撮像面ＡＦを用いる撮像装置では、撮像面ＡＦ処理のため撮影の際におけるレリーズタイムラグ（シッタータイムラグともいう）が長い。シャッタータイムラグとは、シャッターボタンの半押しによる第１のシャッタースイッチ信号を検出してＡＦ処理を行い、合焦の後シャッターボタンの全押しによる第２のシャッタースイッチ信号を検出してレリーズを行うまでの時間をいう。
【０００３】
このようなシャッタータイムラグを短くするため、例えば、ＡＦ処理中においてはフレームレートを高速とするようにした撮像装置がある（特許文献１参照）。そして、特許文献１においては、ＡＦ処理中においては、レンズユニットと撮像装置本体との間で送受される情報量を間引いてＡＦ処理中において高速フレームレートを維持するようにしている。
【０００４】
さらに、ＡＦ処理中においてフレームレートを高速化するとともに、電子ビューファインダー（ＥＶＦ）に対して間引きされた画像を出力することによって処理負荷を軽減するようにした撮像装置がある（特許文献２参照）。そして、特許文献２においては、ＡＦ処理の直前およびＡＦ処理中においてフレームレートを被写体の明るさに応じて変更するようにしている。
【先行技術文献】
【特許文献】
【０００５】
【特許文献１】特開２０１３−２５１０７号公報
【特許文献２】特許第４５５８８３０号公報
【発明の概要】
【発明が解決しようとする課題】
【０００６】
上述のように、特許文献１および２においては、ＡＦ処理の際には通常のフレームレートよりも高速のフレームレートを用いて、シャッタータイムラグを短縮するようにしている。
【０００７】
ところで、フレームレートを高くすると、通常のフレームレートに比べて撮像装置の消費電力が増大する。このため、ＡＦ処理の後にはフレームレートを通常のフレームレートに切り替える必要がある。そして、フレームレートの切り替えを合焦から撮影までの期間に行うと、フレームレートの切り替えに要する時間分シャッタータイムラグが長くなってしまう。
【０００８】
従って、本発明の目的は、消費電力を抑制して、フレームレートの切り替えによってシャッタータイムラグが長くなることのない撮像装置、その制御方法、および制御プログラムを提供することにある。
【課題を解決するための手段】
【０００９】
上記の目的を達成するため、本発明による撮像装置は、光学像に応じた画像を出力する撮像素子を備える撮像装置であって、前記撮像素子を駆動制御してフレームレートを第１のフレームレートと当該第１のフレームレートよりも高速な第２のフレームレートとに選択的に切り替える切り替え手段と、前記画像に応じてＡＦ処理を行う際に前記切り替え手段を制御して前記フレームレートを前記第１のフレームレートから前記第２のフレームレートに切り替え、前記ＡＦ処理によって合焦状態となった後に撮影指示があると前記第２のフレームレートで得られた画像に応じて測光を行って撮影を実行する制御手段と、を有することを特徴とする。
【００１０】
本発明による制御方法は、光学像に応じた画像を出力する撮像素子を備える撮像装置の制御方法であって、前記撮像素子を駆動制御してフレームレートを第１のフレームレートと当該第１のフレームレートよりも高速な第２のフレームレートとに選択的に切り替える切り替えステップと、前記画像に応じてＡＦ処理を行う際に前記切り替えステップによって前記フレームレートを前記第１のフレームレートから前記第２のフレームレートに切り替え、前記ＡＦ処理によって合焦状態となった後に撮影指示があると前記第２のフレームレートで得られた画像に応じて測光を行って撮影を実行する制御ステップと、を有することを特徴とする。
【００１１】
本発明による制御プログラムは、光学像に応じた画像を出力する撮像素子を備える撮像装置で用いられる制御プログラムであって、前記撮像装置が備えるコンピュータに、前記撮像素子を駆動制御してフレームレートを第１のフレームレートと当該第１のフレームレートよりも高速な第２のフレームレートとに選択的に切り替える切り替えステップと、前記画像に応じてＡＦ処理を行う際に前記切り替えステップによって前記フレームレートを前記第１のフレームレートから前記第２のフレームレートに切り替え、前記ＡＦ処理によって合焦状態となった後に撮影指示があると前記第２のフレームレートで得られた画像に応じて測光を行って撮影を実行する制御ステップと、を実行させることを特徴とする。
【発明の効果】
【００１２】
本発明によれば、ＡＦ処理によって合焦状態となった後に撮影指示があると高速な第２のフレームレートで得られた画像に応じて測光を行って撮影を実行する。これによって、消費電力を抑制しつつ、レリーズタイムラグを短縮することができる。
【図面の簡単な説明】
【００１３】
【図１】本発明の第１の実施形態による撮像装置の一例についてその構成を示すブロック図である。
【図２】図１に示すカメラで行われるフレームレート切り替え処理を説明するためのフローチャートである。
【図３】本発明の第２の実施形態によるカメラで行われるフレームレート切り替え処理を説明するためのフローチャートである。
【発明を実施するための形態】
【００１４】
以下に、本発明の実施の形態による撮像装置の一例について図面を参照して説明する。
【００１５】
［第１の実施形態］
図１は、本発明の第１の実施形態による撮像装置の一例についてその構成を示すブロック図である。
【００１６】
図示の撮像装置は、例えば、デジタルカメラ（以下単にカメラと呼ぶ）であり、撮影レンズユニット（以下単にレンズユニットと呼ぶ）２００およびカメラ本体（撮像装置本体）１００を有している。
【００１７】
カメラ本体１００は、ＣＣＤ又はＣＭＯＳセンサーなどの撮像素子１０２を有しており、撮像素子１０２の前面側には、シャッター１０９が配置されている。レンズユニット２００およびシャッター１０９を介して入射した光学像（被写体像）は撮像素子１０２に結像する。そして、撮像素子１０２は光学像に応じた電気信号（アナログ信号）を出力する。
【００１８】
Ａ／Ｄ変換器１０３は、Ａ／Ｄ変換によって撮像素子１０２の出力であるアナログ信号をデジタル信号に変換する。画像処理部１０３は、Ａ／Ｄ変換器１０３の出力であるデジタル信号に対して所定の画像補間、縮小などのリサイズ処理、および色変換処理を行う。なお、画像処理部１０３は、メモリ制御部１０５から送られる画像データに対しても所定の画像補間、リサイズ処理、および色変換処理を行う。
【００１９】
Ａ／Ｄ変換器１０３の出力であるデジタル信号は、画像処理部１０４およびメモリ制御部１０５を介して、あるいはメモリ制御部１０５を介して、メモリ１０９に画像データとして書き込まれる。メモリ１１０には、画像データが格納されるとともに、表示部１１１に表示するための表示用画像データが格納される。この表示用画像データはＤ／Ａ変換器１１２によってアナログ画像信号に変換されて、表示部１１１に画像として表示される。
【００２０】
表示部１１１に逐次転送された画像を表示することによって、表示部１１１をＥＶＦ（電子ビューファインダー）とし用いることができる。これによって、ユーザはライブビュー撮影を行うことができる。
【００２１】
不揮発性メモリ１１３は、電気的に消去・記録可能なメモリであって、例えば、ＥＥＰＲＯＭが用いられる。不揮発性メモリ１１３には、カメラシステム制御部１０１の動作用の定数およびプログラムなどが記憶される。そして、カメラシステム制御部１０１は不揮発性メモリ１１３に記憶されたプログラムを実行することによって、後述のフローチャートに係る処理を行う。
【００２２】
システムメモリ１１４は、例えば、ＲＡＭである。システムメモリ１１５には、カメラシステム制御部１０１の動作用の定数、変数、および不揮発性メモリ１１３から読み出したプログラムなどが展開される。
【００２３】
システムタイマ１１５は、各種制御に用いる時間および内蔵された時計の時間を計測する計時部である。タイミングジェネレータ（ＴＧ）１１６は、カメラシステム制御部１０１の制御下で、撮像素子１０２、Ａ／Ｄ変換器１０３、メモリ制御部１０５、およびＤ／Ａ変換器１１２にタイミング信号を送る。これによって、撮像素子１０２の読み出しタイミングとＡ／Ｄ変換器１０３によるＡ／Ｄ変換のタイミングを同期させる。さらに、メモリ制御部１０５による表示用画像データの読み出しとＤ／Ａ変換器１１２によるＤ／Ａ変換のタイミングとを同期させる。
【００２４】
撮像素子１０２の動作速度は可変であって、カメラシステム制御部１０１はＴＧ１１６を制御して、撮像素子１０２の動作速度、つまり、フレームレートを３０ｆｐｓ、６０ｆｐｓ、又は１２０ｆｐｓなどに選択的に切り替える。
【００２５】
シャッターボタン１１７を半押し（撮影準備指示）すると、第１のシャッタースイッチ（ＳＷ１）がオンとなって、第１のシャッタースイッチ信号ＳＷ１がカメラシステム制御部１０１に送られる。第１のシャッタースイッチ信号ＳＷ１に応答して、カメラシステム制御部１０１は、ＡＦ（オートフォーカス）処理およびＡＥ（自動露出）処理などの動作を開始する。
【００２６】
シャッターボタン１１７を全押し（撮影準備指示）すると、第２のシャッタースイッチ（ＳＷ２）がオンとなって、第２のシャッタースイッチ信号ＳＷ２がカメラシステム制御部１０１に送られる。第２のシャッタースイッチ信号ＳＷ２に応答して、カメラシステム制御部１０１は、撮像素子１０２からの信号読み出しから記録媒体３００に画像データを書き込むまでの一連の撮影処理を開始する。
【００２７】
ユーザは操作部１１９を用いて、単写モード／連写モードの切り替えなどのカメラの撮影に関する各種設定を行うことができる。記録媒体３００は、メモリカードなどの記録媒体であり、例えば、半導体メモリ又は磁気ディスクで構成される。
【００２８】
カメラシステム制御部１０１はカメラ全体の制御を司る。また、カメラシステム制御部１０１は、画像処理部１０４の出力である画像データに応じて、測距部１０６によってＡＦ（オートフォーカス）処理を行うとともに、測光部１０７によってＡＥ（自動露出）処理を行う。
【００２９】
測光部１０７で行われるＡＥ（自動露出）処理には複数の測光モードがある。例えば、評価測光モードでは画像全体が平均的に測光される。部分測光モードでは、画像の中央部に設定された測光エリアに対して重みを付けて測光が行われる。そして、スポット測光モードでは、部分測光モードよりもさらに狭い測光エリアについて大きな重みを付けて測光が行われる。
【００３０】
さらに、カメラシステム制御部１０１は、フリッカー検知部１０８によって、画像処理部１０４の出力である画像データを用いて、５０Ｈｚ／６０Ｈｚのフリッカーを検知する処理を行う。シャッター制御部１１０は、カメラシステム制御部１０１の制御下でシャッター１０９を駆動制御する。
【００３１】
カメラ本体１００とレンズユニット２００とは、インターフェースであるレンズマウント（図示せず）を介して接続されている。レンズユニット２００には、レンズシステム制御部２０１が備えられ、レンズシステム制御部２０１はレンズマウントを介してカメラシステム制御部１０１と通信を行い、レンズユニット２００全体を制御する。
【００３２】
レンズユニット２００には複数枚のレンズを有するレンズ群２０２が備えられるとともに、絞り２０３が備えられている。レンズ駆動部２０４は、レンズシステム制御部２０１の制御下で焦点位置合わせ用レンズ（例えば、フォーカスレンズ）を光軸に沿って駆動する。例えば、レンズ駆動量はカメラシステム制御部１０１からレンズシステム制御部２０１に送られて、レンズシステム制御部２０１はレンズ駆動量に応じてレンズ駆動部２０４を制御してレンズを合焦位置に移動させ合焦状態とする。
【００３３】
絞り駆動部２０５は、レンズシステム制御部２０１の制御下で絞り２０３を制御して絞りを開放方向又は小絞り方向に駆動する。例えば、絞り駆動量は、カメラシステム制御部１０１からレンズシステム制御部２０１に送られて、レンズシステム制御部２０１は絞り駆動量に応じて絞り駆動部２０５を制御して絞り２０３を駆動する。
【００３４】
図２は、図１に示すカメラで行われるフレームレート切り替え処理を説明するためのフローチャートである。なお、図示のフローチャートに係る処理は、カメラシステム制御部１０１が不揮発メモリ１１３に格納されたプログラムをシステムメモリ１１４に展開して実行することによって行われる。
【００３５】
カメラの電源をオンすると、カメラシステム制御部１０１はライブビューモードを起動し、フレームレートを通常動作フレームレート（第１のフレームレート、例えば、３０ｆｐｓ）とする（ステップＳ２０１）。そして、カメラシステム制御部１０１は、前述のようにして測光を行う（ステップＳ２０２）。その後、カメラシステム制御部１０１はシャッターボタン１１７が半押しされて（半押し状態）、第１のシャッタースイッチ（ＳＷ１）がオンとなったか否かを判定する（ステップＳ２０３）。ＳＷ１がオフであると（ステップＳ２０３において、ＮＯ）、カメラシステム制御部１０１はステップＳ２０２の処理に戻って、測光を継続する。
【００３６】
一方、ＳＷ１がオンとなると（ステップＳ２０３において、ＹＥＳ）、カメラシステム制御部１０１はフレームレートを通常動作フレームレート（第１のフレームレート）から高速フレームレート（第２のフレームレート、例えば、１２０ｆｐｓ）に切り替える（ステップＳ２０４）。そして、カメラシステム制御部１０１は、ＡＦ処理（測距）を行う（ステップＳ２０５）。ここでは、ＡＦ処理として、例えば、撮像面ＡＦ処理が行われる。
【００３７】
続いて、カメラシステム制御部１０１はピーク位置が検出済みであるか否かを判定する（ステップＳ２０６）。つまり、カメラシステム制御部１０１は合焦位置が確認されたか否かを判定する。合焦位置が確認されないと（ステップＳ２０６において、ＮＯ）、カメラシステム制御部１０１は、ステップＳ２０５の処理に戻って、ＡＦ処理を継続する。
【００３８】
一方、合焦位置が確認されると（ステップＳ２０６において、ＹＥＳ）、カメラシステム制御部１０１は、前述のように、レンズシステム制御部２０１によってレンズを合焦位置に駆動する（ステップＳ２０７）。
【００３９】
続いて、カメラシステム制御部１０１は、フリッカー検知部１０８でフリッカーが検知されたか否かを判定する（ステップＳ２０８）。フリッカーが検知されないと（ステップＳ２０８において、ＮＯ）、カメラシステム制御部１０１は、測光モードとしてスポット測光モードが設定されているか否かを判定する（ステップＳ２０９）。
【００４０】
スポット測光モードが設定されていないと（ステップＳ２０９において、ＮＯ）、カメラシステム制御部１０１は測光の結果得られた被写体の輝度が予め設定された輝度閾値以下の低輝度であるか否かを判定する（ステップＳ２１０）。そして、被写体の輝度が低輝度でないと（ステップＳ２１０において、ＮＯ）、カメラシステム制御部１０１は第２のシャッタースイッチ（ＳＷ２）がオンとなったか否かを判定する（ステップＳ２１１）。
【００４１】
ＳＷ２がオンとなると（ステップＳ２１１において、ＹＥＳ）、つまり、撮影指示かあると、カメラシステム制御部１０１は高速フレームレートにおいて、画像に設定された合焦測距点における測光を１度行う（ステップＳ２１２）。そして、測光が完了すると、カメラシステム制御部１０１は静止画の撮影を行う（ステップＳ２１３）。その後、カメラシステム制御部１０１はフレームレート切り替え処理を終了する。
【００４２】
ＳＷ２がオフであると（ステップＳ２１１において、ＮＯ）、カメラシステム制御部１０１は、フレームレートを高速フレームレートから通常動作時フレームレートに切り替える（ステップＳ２１４）。次に、カメラシステム制御部１０１は通常動作時フレームレートにおいて、画像に設定された合焦測距点における測光を行う（ステップＳ２１５）。そして、カメラシステム制御部１０１はＳＷ２がオンとなったか否かを判定する  （ステップＳ２１６）。
【００４３】
ＳＷ２がオフであると（ステップＳ２１６において、ＮＯ）、カメラシステム制御部１０１はステップＳ２１５の処理に戻って測光を継続する。一方、ＳＷ２がオンとなると（ステップＳ２１６において、ＹＥＳ）、カメラシステム制御部１０１はステップＳ２１３の処理に進む。
【００４４】
なお、フリッカーが検知されると（ステップＳ２０８において、ＹＥＳ）、カメラシステム制御部１０１はステップＳ２１４の処理に進んで、フレームレートを高速フレームレートから通常動作時フレームレートに切り替える。同様に、スポット測光モードが設定されていると（ステップＳ２０９において、ＹＥＳ）、カメラシステム制御部１０１はステップＳ２１４の処理に進む。また、被写体の輝度が低輝度であると（ステップＳ２１０において、ＹＥＳ）、カメラシステム制御部１０１はステップＳ２１４の処理に進む。
【００４５】
ところで、フレームレートを切り替えると、つまり、変化させると、使用可能なシャッタースピードが変化する。その結果、１フレームにおいて撮像素子１０２から読み出される画素数が変化する。上述のフリッカー検知の判定および被写体輝度の判定は、使用可能なシャッタースピードの変化と関係する。
【００４６】
フリッカーが検知された場合、撮影に使用するシャッタースピードをフリッカーの周波数に応じて限定することによって、フリッカーの影響を軽減させる。この際には、使用するシャッタースピードを、高速フレームレート（１２０ｆｐｓ）の１フレーム（８．３ｍｓｅｃ）以上とする場合があるので、フレームレートを高速フレームレートから通常動作時フレームレートに切り替える。なお、合焦後の被写体輝度が低輝度であった場合についても同様である。
【００４７】
また、測光モードの判定は１フレームにおける読み出し可能画素数が関係する。スポット測光のように特定の測光エリアに対して大きな重みづけを行う測光モードにおいては、測光エリアに存在する画素数が多い方が正確な測光を行うことができる。よって、フレームレートを高速フレームレートから通常動作時フレームレートに切り替えれば測光に用いるサンプル数を増やして正確な測光を行うことができる。
【００４８】
なお、図２においては、通常動作時フレームレートを３０ｆｐｓとし、高速フレームレートを１２０ｆｐｓとしたが、これらのフレームレートに限定されず、通常動作時フレームレート＜高速フレームレートであればよい。
【００４９】
さらに、上述の例では、測光モードがスポット測光モードであるか否かを判定するようにしたが、スポット測光モードに限らず、測光エリアが特定の測光エリアに限られ、かつ重み付けが行われる測光モードであればよい。つまり、測光エリアのサイズが所定のサイズ以下である測光モードであればよい。
【００５０】
このように、本発明の第１の実施形態では、合焦の際に第１および第２のシャッタースイッチＳＷ１およびＳＷ２がオンである場合、例えば、撮影の際にシャッターボタンが一気押しされた場合に、撮影までにフレームレートの変更処理を行わない。これによって、レリーズタイムラグを短縮することができる。
【００５１】
さらに、合焦までに第２のシャッタースイッチＳＷ２がオンとなっていない場合には、合焦後に直ちにフレームレートを通常動作時フレームレートに変更する。これによって、消費電力を抑制することができる。
【００５２】
［第２の実施形態］
次に、本発明の第２の実施形態によるカメラの一例について説明する。なお、第２の実施形態によるカメラの構成は、図１に示すカメラと同様である。
【００５３】
図３は、本発明の第２の実施形態によるカメラで行われるフレームレート切り替え処理を説明するためのフローチャートである。
【００５４】
なお、図示のフローチャートに係る処理は、カメラシステム制御部１０１が不揮発メモリ１１３に格納されたプログラムをシステムメモリ１１４に展開して実行することによって行われる。また、図示のフローチャートにおいて、図２に示すフローチャートのステップと同一のステップについては同一の参照符号を付して説明を省略する。
【００５５】
ステップＳ２１０において、被写体が低輝度でないと、カメラシステム制御部１０１はレンズを合焦位置に駆動してから所定の時間が経過したか否かを判定する（ステップＳ３１１）。所定の時間が経過していないと（ステップＳ３１１において、ＮＯ）、カメラシステム制御部１０１は高速フレームレートにおいて、画像に設定された合焦測距点における測光を１度行う（ステップＳ３１２）。そして、測光が完了すると、カメラシステム制御部１０１はＳＷ２がオンとなったか否かを判定する（ステップＳ３１３）。
【００５６】
ＳＷ２がオフであると（ステップＳ３１３において、ＮＯ）、カメラシステム制御部１０１は、ステップＳ３１１の処理に戻って所定の時間が経過したか否かを判定する。一方、ＳＷ２がオンとなると（ステップＳ３１３において、ＹＥＳ）、カメラシステム制御部１０１は静止画の撮影を行う（ステップＳ３１４）。その後、カメラシステム制御部１０１はフレームレート切り替え処理を終了する。
【００５７】
所定の時間が経過すると（ステップＳ３１１において、ＹＥＳ）、カメラシステム制御部１０１は、フレームレートを高速フレームレートから通常動作時フレームレートに切り替える（ステップＳ３１５）。その後、カメラシステム制御部１０１は、ステップＳ３１２の処理に進んで、通常動作時フレームレートにおいて、画像に設定された合焦測距点における測光を１度行う。
【００５８】
なお、フリッカーが検知された場合、スポット測光モードが設定されている場合、又は被写体の輝度が低輝度である場合には、カメラシステム制御部１０１はステップＳ３１５の処理に進む。
【００５９】
このように、本発明の第２の実施形態では、第２のシャッタースイッチＳＷ２がオンとなった否かを判定する際にタイムアウト時間を設ける。第２の実施形態においても、第１の実施形態と同様に、レリーズタイムラグを短縮することができ、さらに、消費電力を抑制することができる。
【００６０】
上述の説明から明らかなように、図１に示す例においては、カメラシステム制御部１０１およびＴＧ１１６が切り替え手段として機能し、カメラシステム制御部１０１および測光部１０６が制御手段として機能する。
【００６１】
以上、本発明について実施の形態に基づいて説明したが、本発明は、これらの実施の形態に限定されるものではなく、この発明の要旨を逸脱しない範囲の様々な形態も本発明に含まれる。
【００６２】
また、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００６３】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６４】
１００  撮像装置本体（カメラ本体）
１０１  カメラシステム制御部
１０２  撮像素子
１０４  画像処理部
１０６  測距部
１０７  測光部
１０８  フリッカー検知部
２００  レンズユニット
２０１  レンズシステム制御部
２０４  レンズ駆動部
【図１】
0006501628.tif 000002
【図２】
0006501628.tif 000003
【図３】
0006501628.tif 000004